【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
動的インターネットプロトコル（ＩＰ）アドレスに基づいてファイアウォールルールを変更する方法であって、該方法は、
ハードウェアプロセッサを使用して、ユーザデバイスのユーザがリモート接続を確立する権限を持っている少なくとも１台のコンピュータを識別するステップと、
前記ユーザによる選択のために、前記少なくとも１台のコンピュータの識別子を前記ユーザに提示させるステップと、
前記少なくとも１台のコンピュータの１つのコンピュータの名前の選択を前記ユーザから受信するステップと、
サーバから、前記コンピュータを保護するファイアウォールのファイアウォールルールを変更するリクエストを受信するステップであり、前記リクエストは、前記ユーザデバイスの現在のＩＰアドレスを含み、前記ファイアウォールルールは、前記コンピュータへの接続を確立することを許可されたデバイスのＩＰアドレスを示す、ステップと、
前記ユーザデバイスが特定のタイプの暗号化を使用しているかどうかを判定するステップと、
前記ユーザデバイスが前記特定のタイプの暗号化を使用しているかどうかに基づいて前記ユーザデバイスの前記現在のＩＰアドレスを前記ファイアウォールルールに追加すべきかどうかを決定するステップと、
前記ユーザデバイスの前記現在のＩＰアドレスを前記ファイアウォールルールに追加すべきという決定に応答して、前記現在のＩＰアドレスをファイアウォールルールに追加するステップと、を含む、方法。
【請求項２】
前記ユーザデバイスの前記現在のＩＰアドレスを前記ファイアウォールルールから削除すべきかどうかを決定するステップと、
前記ユーザデバイスの前記現在のＩＰアドレスを前記ファイアウォールルールから削除すべきという決定に応答して、前記ファイアウォールルールから前記現在のＩＰアドレスを削除するステップと、をさらに備える、請求項１に記載の方法。
【請求項３】
前記ファイアウォールルールが存在しないことを決定するステップと、
前記ファイアウォールルールが存在しないという決定に応答して、前記ファイアウォールルールを生成するステップと、をさらに備える、請求項１に記載の方法。
【請求項４】
前記リクエストは、前記ファイアウォールルールを示すファイアウォールルール名を含む、請求項１に記載の方法。
【請求項５】
前記リクエストは前記サーバに送信されたクエリに応答して前記サーバから受信される、請求項１に記載の方法。
【請求項６】
前記ユーザデバイスの前記現在のＩＰアドレスを前記ファイアウォールルールに追加すべきかどうかを決定することは、前記ユーザデバイスが特定のタイプの認証を使用しているかどうかにも基づく、請求項１に記載の方法。
【請求項７】
前記ユーザデバイスの前記現在のＩＰアドレスを前記ファイアウォールルールに追加すべきかどうかを決定することは、前記ユーザデバイスが特定のタイプのリモートデスクトッププロトコルを使用しているかどうかにも基づく、請求項６に記載の方法。
【請求項８】
動的インターネットプロトコル（ＩＰ）アドレスに基づいてファイアウォールルールを変更するシステムであって、前記システムは第１のハードウェアプロセッサ及び第２のハードウェアプロセッサを備え、
前記第１のハードウェアプロセッサは、ハードウェアプロセッサを使用して、ユーザデバイスのユーザがリモート接続を確立する権限を持っている少なくとも１台のコンピュータを識別するようにプログラムされ、
前記ユーザによる選択のために、前記少なくとも１台のコンピュータの識別子を前記ユーザに提示させるようにプログラムされ、
前記少なくとも１台のコンピュータの１つのコンピュータの名前の選択を前記ユーザから受信するようにプログラムされ、
前記第２のハードウェアプロセッサは、サーバから、前記コンピュータを保護するファイアウォールのファイアウォールルールを変更するリクエストを受信するようにプログラムされ、前記リクエストは前記ユーザデバイスの現在のＩＰアドレスを含み、前記ファイアウォールルールは前記コンピュータへの接続を確立することを許可されたデバイスのＩＰアドレスを示すものであり、
前記ユーザデバイスが特定のタイプの暗号化を使用しているかどうかを判定するようにプログラムされ、
前記ユーザデバイスが前記特定のタイプの暗号化を使用しているかどうかに基づいてユーザデバイスの前記現在のＩＰアドレスをファイアウォールルールに追加するかどうかを決定するようにプログラムされ、且つ
前記ユーザデバイスの前記現在のＩＰアドレスを前記ファイアウォールルールに追加すべきという決定に応答して、前記現在のＩＰアドレスを前記ファイアウォールルールに追加するようにプログラムされている、システム。
【請求項９】
前記第２のハードウェアプロセッサは、さらに、
前記ユーザデバイスの前記現在のＩＰアドレスを前記ファイアウォールルールから削除すべきかどうかを決定するようにプログラムされ、且つ
前記ユーザデバイスの前記現在のＩＰアドレスを前記ファイアウォールルールから削除すべきという決定に応答して、前記ファイアウォールルールから前記現在のＩＰアドレスを削除するように構成されている、請求項８に記載のシステム。
【請求項１０】
前記第２のハードウェアプロセッサは、さらに、
前記ファイアウォールルールが存在しないことを決定するようにプログラムされ、且つ
前記ファイアウォールルールが存在しないという決定に応答して、前記ファイアウォールルールを生成するようにプログラムされている、請求項８に記載のシステム。
【請求項１１】
前記リクエストは、前記ファイアウォールルールを示すファイアウォールルール名を含む、請求項８に記載のシステム。
【請求項１２】
前記リクエストは前記サーバに送信されたクエリに応答して前記サーバから受信される、請求項８に記載のシステム。
【請求項１３】
前記ユーザデバイスの前記現在のＩＰアドレスを前記ファイアウォールルールに追加すべきかどうかを決定することは、前記ユーザデバイスが特定のタイプの認証を使用しているかどうかにも基づく、請求項８に記載のシステム。
【請求項１４】
前記ユーザデバイスの前記現在のＩＰアドレスを前記ファイアウォールルールに追加すべきかどうかを決定することは、前記ユーザデバイスが特定のタイプのリモートデスクトッププロトコルを使用しているかどうかにも基づく、請求項１３に記載のシステム。
【請求項１５】
複数のプロセッサによって実行されると、動的インターネットプロトコル（ＩＰ）アドレスに基づいてファイアウォールを変更する方法を前記複数のプロセッサに実行させるコンピュータ実行可能命令を含む非一時的なコンピュータ可読媒体であって、
前記方法は、ハードウェアプロセッサを使用して、ユーザデバイスのユーザがリモート接続を確立する権限を持っている少なくとも１台のコンピュータを識別するステップと、
前記ユーザによる選択のために、前記少なくとも１台のコンピュータの識別子を前記ユーザに提示させるステップと、
前記少なくとも１台のコンピュータの１つのコンピュータの名前の選択を前記ユーザから受信するステップと、
サーバから、前記コンピュータを保護するファイアウォールのファイアウォールルールを変更するリクエストを受信するステップであり、前記リクエストは、前記ユーザデバイスの現在のＩＰアドレスを含み、前記ファイアウォールルールは前記コンピュータへの接続を確立することを許可されたデバイスのＩＰアドレスを示す、ステップと、
前記ユーザデバイスが特定のタイプの暗号化を使用しているかどうかを判定するステップと、
前記ユーザデバイスが前記特定のタイプの暗号化を使用しているかどうかに基づいて前記ユーザデバイスの前記現在のＩＰアドレスを前記ファイアウォールルールに追加すべきかどうかを決定するステップと、
前記ユーザデバイスの前記現在のＩＰアドレスを前記ファイアウォールルールに追加すべきという決定に応答して、前記現在のＩＰアドレスを前記ファイアウォールルールに追加するステップと、を備える、非一時的なコンピュータ可読媒体。
【請求項１６】
前記方法は、さらに、
前記ユーザデバイスの前記現在のＩＰアドレスを前記ファイアウォールルールから削除すべきかどうかを決定するステップと、
前記ユーザデバイスの前記現在のＩＰアドレスを前記ファイアウォールルールから削除すべきという決定に応答して、前記ファイアウォールルールから前記現在のＩＰアドレスを削除するステップと、を備える、請求項１５に記載の非一時的なコンピュータ可読媒体。
【請求項１７】
前記方法は、さらに、
前記ファイアウォールルールが存在しないことを決定するステップと、
前記ファイアウォールルールが存在しないという決定に応答して、前記ファイアウォールルールを生成するステップと、を備える、請求項１５に記載の非一時的なコンピュータ可読媒体。
【請求項１８】
前記リクエストは、前記ファイアウォールルールを示すファイアウォールルール名を含む、請求項１５に記載の非一時的なコンピュータ可読媒体。
【請求項１９】
前記リクエストは、前記サーバに送信されたクエリに応答して前記サーバから受信される、請求項１５に記載の非一時的なコンピュータ可読媒体。
【請求項２０】
前記ユーザデバイスの前記現在のＩＰアドレスを前記ファイアウォールルールに追加すべきかどうかを決定することは、前記ユーザデバイスが特定のタイプの認証を使用しているかどうかにも基づく、請求項１５に記載の非一時的なコンピュータ可読媒体。
【請求項２１】
前記ユーザデバイスの前記現在のＩＰアドレスを前記ファイアウォールルールに追加すべきかどうかを決定することは、前記ユーザデバイスが特定のタイプのリモートデスクトッププロトコルを使用しているかどうかにも基づく、請求項２０に記載の非一時的なコンピュータ可読媒体。